(57)【要約】【課題】読み取り情報に対する周期カウンタの同期を信頼性の高いものとする。【解決手段】Nサイクルの搬送波で１単位が構築され前記搬送波が変調・無変調に応じてデータを含むＷＤＵと、前記ＷＤＵのM個集合で１単位となるＷＰＡとが定義され、前記ＷＰＡが連続して入力するときに、前記ＷＤＵ単位、及びＷＰＡ単位を検出し、前記データサンプリングのためのタイミング制御信号を、N周期カウンタとM周期カウンタを連結した主周期カウンタ手段から得る。ここでＷＤＵ検出手段により、前記ＷＤＵ後半の無変調領域と次のＷＤＵの変調された先頭部分から、ＷＤＵの分割点を示すＷＤＵ同期信号を検出し、ＷＰＡ検出手段により、ＷＰＡの先頭の同期信号を含むＷＤＵからＷＰＡ同期信号を検出する。そしてＷＤＵ同期信号でＮ周期カウンタを、ＷＰＡ同期信号でＭ周期カウンタを設定した値にイニシャライズする。【選択図】      図１
2005166118.tif 000002
【特許請求の範囲】
【請求項１】
Ｎサイクルの搬送波を伝送ユニットとして構成し、Ｍ組の伝送ユニットで伝送ブロックが構成され、前記伝送ブロックを構成する特定の伝送ユニットの一部はブロック同期信号及び分散された制御データの変調部で構成されており、前記伝送ブロックが連続して送信されてくる場合に、前記制御データを再生する方法において、
Ｎ周期カウンタとＭ周期カウンタを連結した主周期カウンタ手段により、復調された制御データを分離して読み出す為のタイミング信号を生成する場合、
前記伝送ユニットには先頭部分に変調領域があり後半部分に無変調領域があることを利用して、複数の伝送ユニットの変調領域、無変調領域のパターンから、伝送ユニット分割点を検出しユニット検出信号を得るステップと、
前記伝送ブロックの先頭に位置しており、かつ前記ブロック同期信号で変調されている伝送ユニットから、前記ブロック同期信号を得るステップと、
ユニット検出信号で前記Ｎ周期カウンタを、前記ブロック同期検出信号で前記Ｍ周期カウンタを、それぞれ設定した値にイニシャライズするステップとを有し、
前記主周期カウンタ手段のタイミング信号に基づいて、前記制御データを読み出すようにした
ことを特徴とする同期化方法。
【請求項２】
前記伝送ユニットの後半の前記無変調領域と、次の伝送ユニットの変調された先頭部分の変調領域とを検出することで前記伝送ユニット分割点を検出しユニット検出信号を得ることを特徴とする請求項１記載の同期化方法。
【請求項３】
全てが無変調である伝送ユニットを検出し、この伝送ユニットの次の伝送ユニットから前記ブロック同期信号を検出したときに、このブロック同期信号を有効として扱うことを特徴とする請求項1記載の同期化方法。
【請求項４】
前記ユニット検出信号で前記Ｎ周期カウンタを、前記ブロック同期検出信号で前記Ｍ周期カウンタを、それぞれ設定した値にイニシャライズする場合、
前記Ｎ周期及びＭ周期カウンタの出力で生成される各窓ゲート信号内で、前記ユニット検出信号、ブロック同期検出信号が検出された時のみ、イニシャライズすることを特徴とする請求項１記載の同期化方法。
【請求項５】
前記Ｎ周期カウンタに対応する第１のサブ周期カウンタ、前記Ｍ周期カウンタに対応する第２のサブ周期カウンタを用い、
前記ユニット検出信号、前記ブロック同期検出信号が、それぞれＮ周期及びＭ周期カウンタの出力で生成した各窓ゲート信号内に無かった場合でも、対応する前記サブ周期カウンタで生成している窓ゲート内にあれば、対応しているＮ周期及びＭ周期カウンタをイニシャライズし、何れの窓ゲート内にない場合は、対応するサブ周期カウンタのみをイニシャライズして、次の検出結果を待つようにしたことを特徴とする請求項１記載の同期化方法。
【請求項６】
前記Ｎ周期カウンタに対応する第１のサブカウンタ、前記Ｍ周期カウンタに対応する第２のサブカウンタを用い、
前記ユニット検出信号、前記ブロック同期検出信号が、それぞれＮ周期及びＭ周期カウンタの出力で生成した各窓ゲート信号内に無かった場合、対応するサブカウンタのカウント数を制御し、所定数になったら、強制的にＮ周期及びＭ周期カウンタをイニシャライズすることを特徴とする請求項１記載の同期化方法。
【請求項７】
Ｎ周期及びＭ周期カウンタをイニシャライズする場合、各カウンタに所定値をプリセットすることを特徴とする請求項１記載の同期化方法。
【請求項８】
Ｎ周期及びＭ周期カウンタをイニシャライズする場合、所定値にプリセットするのではなく、イニシャライズタイミングにおけるＮ周期カウンタの値が所定値より大きい場合は、カウンタ入力クロックを１クロック削減し、所定値より小さい場合は入力クロックを１クロック増して供給することで、イニシャライズタイミングでのＮ周期カウンタの値を所定値に近づけるように制御することを特徴とする請求項１記載の同期化方法。
【請求項９】
前記搬送波は記録媒体の記録トラックのウォブル信号であり、前記制御データは物理アドレス情報であることを特徴とする請求項１記載の同期化方法。
【請求項１０】
Ｎサイクルの搬送波を伝送ユニットとして構成し、Ｍ組の伝送ユニットで伝送ブロックが構成され、前記伝送ブロックを構成する特定の伝送ユニットの一部はブロック同期信号及び分散された制御データの変調部で構成されており、前記伝送ブロックが連続して送信されてくる場合に、前記制御データを再生する装置において、
復調された制御データを分離して読み出す為のタイミング信号を生成する、Ｎ周期カウンタとＭ周期カウンタを連結した主周期カウンタ手段と、
前記伝送ユニットには先頭部分に変調領域があり後半部分に無変調領域があることを利用して、複数の伝送ユニットの変調領域、無変調領域のパターンから、伝送ユニット分割点を検出しユニット検出信号を得る伝送ユニット検出手段と、
前記伝送ブロックの先頭に位置しており、かつ前記ブロック同期信号で変調されている伝送ユニットから、前記ブロック同期信号を検出するブロック同期検出手段と、
伝送ユニット検出手段で検出されたユニット検出信号で前記Ｎ周期カウンタを、前記ブロック同期検出手段で検出されたブロック同期検出信号で前記Ｍ周期カウンタを、それぞれ設定した値にイニシャライズするイニシャライズ手段と、
前記主周期カウンタ手段のタイミング信号に基づいて、前記制御データを読み出す手段と、
を具備したことを特徴とする同期化装置。
【発明の詳細な説明】
【技術分野】
【０００１】
本発明は、例えば光ディスクから検出される信号に対する同期信号を得るのに有効な同期化方法及び同期化装置に関する。
【背景技術】
【０００２】
光ディスクを記録媒体とした情報記録再生システムは、ＣＤ−Ｒ、ＣＤ−ＲＷディスク対応システムの普及で拡大した。これに続いて、近年ＤＶＤ方式のＤＶＤ−Ｒ、ＤＶＤ−−ＲＷ、ＤＶＤ−ＲＡＭメディア等が発売され、記録容量拡大とともに急激な普及が進んでいる。ＤＶＤ記録媒体を使ったビデオレコーダの普及拡大は、編集の容易性や検索高速性に加え、デジタル化による高画質化など、ユーザの要求を満たした機能が認識された結果と考えられる。
【０００３】
このような記録媒体にデジタル情報を記録する場合、記録装置は、先ず記録トラックに埋めこまれた物理アドレスを読出し、この物理アドレスを参照しながら、パケット化された記録情報を、規定に沿った記録位置に記録していく。
【０００４】
ここで、記録媒体に対する物理アドレスを埋め込む方式として、記録トラックをウォブル変調してアドレスデータ等を埋め込む方式がある。この埋め込み方式によると、アドレスデータが特定周期で記録トラックに埋め込まれている。従って、装置内には、前記アドレスデータを取得し、このアドレスデータの内容を把握し、読出し位置を制御するために、周期カウンタが必要であり、かつこの周期カウンタをアドレスデータの特定位置に同期化する事が必要になる。
【０００５】
一般に周期の同期化を行う為の参照用として、特定周期でアドレスデータ等と共に同期信号が埋め込まれている。同期信号に基づいて、周期カウンタの同期化を得たとしても、ウォブル変調方式等では隣接トラックのクロストークや各種ディフェクト、記録媒体個々の特性バラツキ等で、データ読出しタイミングに誤動作を与える事が多く発生していた。そのため、記録位置を決定するために必須な情報であるアドレスデータ等の読取り性能を決める項目でもある、周期カウンタの同期化方法は重要なアイテムになっている。
【０００６】
一般に周期特性を持つデータストリームに対するタイミング制御とその同期化方法は、周期カウンタをメイン構成要素としてタイミング制御信号を発生させる。この場合、この周期カウンタを入力信号から検出した再生同期信号で同期化（特定値にイニシャライズ）する手法が取られる。但し、再生同期化信号は疑似同期化信号を検出してしまう事があり、誤ったタイミング制御をしかねない。その様な問題から、検出された再生同期化信号が本ものであるか偽ものであるかを判定する機能を用い、周期カウンタの同期化を行うようなシステムが導入されている。
【特許文献１】特開２０００−１６３７６６号公報
【発明の開示】
【発明が解決しようとする課題】
【０００７】
しかしながら、従来の同期化装置及び方法は、信頼性が十分でなく、さらなる改善求められている。特に、記録媒体に対する物理アドレスを検出するために用いられる装置には、その精度の向上が求められている。これは、記録媒体が高密度化しており、擬似同期信号も再生される可能性が高くなっていることに起因する。例えば、正規の同期信号位置において、ディフェクトがあり、ずれた位置で擬似同期信号が発生するような媒体の場合、永久に擬似同期信号に同期してしまう可能性がある。
【０００８】
そこでこの発明の目的とするところは、読み取り情報に対する周期カウンタの同期を信頼性の高いものとすることができる同期化方法及び同期化装置を提供することである。
【課題を解決するための手段】
【０００９】
この発明は、Ｎサイクルの搬送波を伝送ユニットとして構成し、Ｍ組の伝送ユニットで伝送ブロックが構成され、前記伝送ブロックを構成する特定の伝送ユニットの一部はブロック同期信号及び分散された制御データの変調部で構成されており、前記伝送ブロックが連続して送信されてくる場合に、前記制御データを再生する装置において、復調された制御データを分離して読み出す為のタイミング信号を生成する、Ｎ周期カウンタとＭ周期カウンタを連結した主周期カウンタ手段と、前記伝送ユニットには先頭部分に変調領域があり後半部分に無変調領域があることを利用して、複数の伝送ユニットの変調領域、無変調領域のパターンから、伝送ユニット分割点を検出しユニット検出信号を得る伝送ユニット検出手段と、前記伝送ブロックの先頭に位置しており、かつ前記ブロック同期信号で変調されている伝送ユニットから、前記ブロック同期信号を検出するブロック同期検出手段と、
伝送ユニット検出手段で検出されたユニット検出信号で前記Ｎ周期カウンタを、前記ブロック同期検出手段で検出されたブロック同期検出信号で前記Ｍ周期カウンタを、それぞれ設定した値にイニシャライズするイニシャライズ手段と、前記主周期カウンタ手段のタイミング信号に基づいて、前記制御データを読み出す手段と、を備える。
【発明の効果】
【００１０】
上記の手段により、搬送波が主情報伝送・記録システムのシステムクロック生成などに利用される構成において、この搬送波を使って制御データ等を埋め込む場合、埋め込み変調領域は一部となるため、制御データは分散して埋め込まれる。この制御データの読出しタイミングをこの分散されたユニット周期と、先頭ユニット間の周期とを別々のカウンタで計測し、夫々のカウンタは周期同期化を別々に行うように構成する。これにより、疑似同期化の防止が行得られる。特に伝送ユニット分割点検出を、伝送ユニット無変調領域が変調領域に対して大きいことを利用し、事前の伝送ユニット無変調領域を検出後次の伝送ユニットの変調領域を検出する事で、伝送ユニット分割点を検出する方式の導入により、安定な伝送ユニット分割点検出を可能にするものである。
【発明を実施するための最良の形態】
【００１１】
以下、この発明の実施の形態を図面を参照して説明する。
【００１２】
先ず本発明の具体例を説明する前に、前提となる技術を説明する。光ディスクは、通常はスパイラル状に形成された記録トラックを有する。記録トラックは、所定の長さの物理セグメントに分割され、それぞれの物理セグメントには、アドレスが付与される。このアドレスは、プリフォーマットデータとして各物理セグメントに書き込まれている。
【００１３】
記録線密度が一定となる、ＣＬＶ方式を採用した光ディスクでは、物理セグメント長は、全て同じ長さとなる。物理セグメント長が長すぎると、ランダムアクセスでアドレス情報を探す時間が増えるので、１周回が１０〜数１０個の物理セグメントとなるような長さが選択される。
【００１４】
プリフォーマットとしては、グルーブの蛇行によるウオーブル信号を、データ記録トラックに形成し、このウオーブル信号でフォーマット情報を表すという方法がある。ウオーブルでフォーマット情報を記録する場合は、位相反転、周波数変化などの変調を掛けたウオーブル信号を記録することになる。
【００１５】
図１は、光ディスク記録媒体のアドレッシングを行うにために、記録トラックをウォブル変調することにより対応した例を説明する図である。図１は、このときの各信号関係を示している。蛇行した記録トラックからデジタルデータを再生していく（または、デジタルデータを記録していく）が、このとき記録されたデータは指定位置に記録されている。指定位置を決定する物理アドレス情報は、記録トラックのウォブル信号を読み出して復調することで得られる。
【００１６】
図１は、トラックWB-track上の読取りビームL-beamと、検出されたウォブル信号WB-signal、読み出されたデジタルデータの高周波信号RF-signalとの関係が示されている。
【００１７】
図２は、光ディスク記録媒体の記録トラックがランド／グルーブ共に使われる構造に対する、物理アドレス情報のレイアウトを示した図である。
【００１８】
ウォブル変調によるアドレッシングは、グルーブトラックで行うため、ランドトラックに記録再生しても正しいアドレッシングが構成されていなければならない。そこでゾーン方式と言う構造が採用され、光ディスク記録媒体をラジアル方向で複数ゾーンに分割し、各ゾーン内は記録容量が一定のセグメントパケットを構成し、そこに物理アドレス情報である「ゾーン番号」「トラック番号」「セグメント」番号がグルーブトラックのウォブル変調で埋め込まれる。ゾーンが変わると、記録密度が略等しい単位でセグメントを構成する分割角度を変更して、記録容量を最適化している。図２のような構成にすると、ランド／グルーブ方式でも、グルーブウォブルによるアドレス情報は、トラック番号を除けば隣接トラック間では同じ値になり、ランドトラックでも物理アドレス情報が読み出せる。トラック番号は、ランド用とグルーブ用を配置することでランドでもグルーブでも情報が得られるように構成されるため、問題は生じない。
【００１９】
光ディスク内は、いくつかのゾーンＺ０、Ｚ１，…に分割され、同一ゾーン内の記録トラックは、物理セグメントが、半径方向にアラインした構造となっている。
【００２０】
図２は、ゾーン境界付近（ゾーンｍとゾーンｍ+1）における物理セグメントの配列例を示している。この例では、光ディスクのリードインエリア、データエリア、リードアウトエリアはそれぞれ、ゾーンと複数のトラックと、複数の物理セグメントで構成されている。そして、１つの物理セグメントは、ゾーン番号とトラック番号と、セグメント番号とで特定される。各ゾーンには、同じ物理セグメント番号のセグメントが存在する。各ゾーンの中では、隣接するトラック間の物理セグメントの第1のチャンネルビット間の角度距離は、±４チャンネルビットよりも少ない方が好ましい。角度距離は、ディスクの中心から半径方向を見た時の広がり角である。トラックの開始位置の物理セグメント番号は、０であり、この物理セグメントは、ゾーンとゾーンの境界に位置する。各リードイン、データエリア、そしてリードアウトエリア内において、２つのトラックの開始位置の物理セグメントの最初のチャンネルビット間の角度距離は、±２５６チャンネルビット以内である。ゾーン境界に隣接するランドトラックのアドレスは、読み取り不可である。
【００２１】
図３は、ウォブル変調で情報を埋め込む場合の変調規則を示した図である。ウォブル信号のサイン波（ＮＰＷ）をビット情報“０”とし、反転波（ＩＰＷ）を“１”として利用する。また、その連係規則を使って、同期信号なども構成している。
【００２２】
図４は、物理アドレスのデータ構造を全体の関係図で示した図である。まず、物理アドレスを説明する前に、各種の用語について明確にする。
【００２３】
ウォブルは、グルーブが蛇行するすることにより形成されたもの。ウォブル変調部は、前記ウォブルがデータに応じて位相変化され、データの意味をもつこと。この場合、データの１ビットは、４ウォブル（４サイクル）で表現される。
【００２４】
ＷＤＵ(Wobble Data Unit：ウォブルデータユニット)は、ウォブル変調により情報を表現するときの単位（ユニット）であり、ここでは、伝送ユニットと称する。このＷＤＵの全ウォブル数は、８４ウオブルである。ＷＰＡ(Wobble Address in Periodic position：周期位置ウオブルアドス)は、ＷＤＵが１７個集合されて構成される単位であり、ここでは例えば伝送ブロックと称する。このＷＰＡは、同期部（ＳＹＮＣ）と、アドレスフィールド（Addres field）と、ユニティーフィールド（Unity field）で構成される。同期部（ＳＹＮＣ）は１個のＷＤＵで構成され、アドレスフィールド（Addres field）は１３個のＷＤＵを含み、ユニティーフィールド（Unity field）は３個のＷＤＵで構成される。
【００２５】
同期部（ＳＹＮＣ）を構成するＷＤＵは、定型であり、ＩＰＷが６ウォブル，ＮＰＷが４ウォブル，ＩＰＷが６ウォブル，ＮＰＷが６８ウォブルの配列順である。アドレスフィールド（Addres field）内における１つのＷＤＵは、ＩＰＷが４ウォブル，“ｂ2”が４ウォブル，“ｂ１”が４ウォブル，“ｂ0”が４ウォブル、ＮＰＷが６８ウォブルの配列順である。従って、アドレスフィールド（Addres field）内の１つのＷＤＵは、可変内容としては３ビットの情報を含む。ユニティーフィールド（Unity field）は、全てＮＰＷであり８４ウォブルである。
【００２６】
物理セグメントの位置を表す物理アドレスデータは、３９ビットで構成され、「3ビットのセグメント情報（Segment Information）」、「6ビットのセグメントアドレス（Segment address）」、「5ビットのゾーンアドレス（Zone address）」、「1ビットのパリティーアドレス（Parity address）」、「１２ビットのグルーブアドレス（Groove address）」、「１２ビットのランドアドレス（Land address）」の合計３９ビットを有する。この３９ビットは、３ビットづつに分割され、各ＷＤＵに分配され、変調処理によって埋めこまれている。従ってアドレスフィールドを構築している13個のＷＤＵに分配されていることになる（３×１３＝３９）。
【００２７】
上記のＷＰＡが連結してトラックウォブルが出来上がるため、ＷＰＡの単位で決められる周期が物理アドレスデータの埋めこまれた周期になる。さらに、またいずれのＷＤＵの先頭の４ウォブルは、ＩＰＷとして構成とされているので、ＷＤＵの先頭識別が容易になる構成をとっている。結果として各ＷＤＵのアドレス情報埋め込み以降６８ウォブルはＮＰＷと規定している。上記のようにＷＰＡにおいて、物理アドレスデータ全体は３９ビットであることから、アドレスフィールドとして必要なＷＤＵは１３個であり、先頭のＷＤＵはＷＰＡの同期信号が配置され、後方の３ユニットは、無変調のユニット（Unity field）で構成される。
【００２８】
次に、上記のグルーブトラック或はランドトラック等の記録トラックに対しては、ビデオデータ、管理データ等を含む情報が記録されることになる。
【００２９】
この場合の記録データは、７７３７６バイトのデータに対して、先頭に７１バイトのＶＦＯ（再生動作時、データ復調用チャネルクロックを生成し易いようにするための一定周波数信号）、後方にはデータブロック接続処理を行うための「PA field」、「Reserved field」、「Buffer field」の計２２バイトが記録される。トータルで７７４６９バイトが７物理セグメント（Physical segment（9996 Wobble））に記録される。
【００３０】
上記のような約束のもとで情報データが「Physical segment」アドレスデータを使って指定された場所に記録される。よって、Physical segmetのアドレスデータ読出しが重要になる。以上のような構成でトラックウォブルを変調して物理アドレスが記録された記録媒体から、物理アドレスを読み出す場合は、ウォブル信号から同期信号を検出してＷＰＡの周期カウンタを同期化させ、指定されたタイミング信号を生成させて、ウォブル信号から抜き出し復調して、アドレス情報を得ることになる。
【００３１】
図５には、周期カウンタ同期化方式を使ったタイミングコントロール回路の構成例を示す図である。先ずこの回路の動作を簡単に説明しておく。記録媒体から読み出されたウォブル信号WB-signalは、アドレスデータ読取り及び復調に用いられるクロックを生成するウォブル位相同期回路Ｒ１に送られる。ウォブル位相同期回路Ｒ１からは、出力クロックＷＢ−ＣＫが生成される。このクロックは、実際にはウォブル信号を逓倍してデータ記録信号のチャネルビットクロック周波数にアップされデータ記録用に使われるが、再び分周してウォブル周波数のクロックとしてアドレスデータ読取りクロックとして利用するものである。
【００３２】
今ここでは、ウォブル位相同期回路Ｒ１の出力クロックＷＢ−ＣＫは、ウォブル周波数のクロックとする。ウオブル信号WB-signalは、さらに、ＮＰＷとＩＰＷを判別する位相検出器Ｒ２に送られる。ここでは、ウォブル位相同期回路Ｒ１の出力クロックが利用されて、ウオブル信号WB-signalがＮＰＷであるのかＩＰＷであるのかの判定が行われる。位相検出器Ｒ２からの位相判定結果の信号は、同期信号検出器Ｒ３と復調器Ｒ８に送られる。同期信号検出器Ｒ３は、図４で説明した同期信号（ＳＹＮＣ）を検出し、復調器Ｒ８はビットデータを復調する。
【００３３】
一方、ウォブル位相同期回路R1の出力クロックＷＢ−ＣＫは、８４分周を行う分周器Ｒ４に送られ、その分周出力がさらに、１７分周を行う分周器Ｒ５に入力される。分周器Ｒ４、分周器Ｒ５は、周期カウンタ回路を構成している。この周期カウンタ回路は、同期信号検出器Ｒ３で検出されたＷＰＡ同期信号ＰＢ−ＳＹＮＣに同期してイニシャライズ（同期化）処理される。
【００３４】
しかしながら、ＷＰＡ同期信号ＰＢ−ＳＹＮＣは、疑似同期信号（ＮＳＹＮＣ）を検出した結果の信号であることも考えられる。そこで、ＷＰＡ同期信号ＰＢ−ＳＹＮＣにより、周期カウンタ回路を直接同期化せず、できず周期カウンタ回路の出力を利用する窓ゲート回路Ｒ６のゲートパルスＷＧ内で、上記ＷＰＡ同期信号ＰＢ−ＳＹＮＣが検出された時のみイニシャライズ動作が行われる。但し、ゲートパルスＷＧ以外の期間で正しい同期信号が検出されると永久に周期カウンタ回路は同期化されない。そこでこのような事態を回避するため、ゲートパルスＷＧ内にＷＰＡ同期信号ＰＢ−ＳＹＮＣが検出されない連続回数を擬似同期信号検出器Ｒ７でチェックする。ゲートパルスＷＧ内にＷＰＡ同期信号ＰＢ−ＳＹＮＣが指定回数検出されない場合は、オア回路O1を介してアンド回路A1を制御し、開放した状態を作る。そしてアンド回路A1からＷＰＡ同期信号ＰＢ−ＳＹＮＣが出力されるようにし、強制的に分周器Ｒ４、Ｒ５をイニシャライズして、同期化させる処理が行われる。
【００３５】
この処理によって一度同期化されると、ＷＰＡ同期信号ＰＢ−ＳＹＮＣの周期性を使った時間相関特性によって、疑似同期信号ＮＳＹＮＣを排除する機能を持たせている。このようにして同期化された分周器Ｒ４、分周器Ｒ５で構成される周期カウンタ回路によって、タイミング制御信号が作られ、復調器８、データ設定部Ｒ９は、図４で示した「Segment Information」、「Segment address」、「Zone address」、「Parity address」、「Groove address」、「Land address」のデータを読み出している。
【００３６】
図６には、図５の回路の動作の概略をフローチャートで示している。同期信号は、その同期パターンで検出される（ステップST１）。同期信号がゲートパルスＷＧ内であるかどうかを検出する（ステップST2）。同期信号がゲートパルスＷＧ内であれば、分周器Ｒ４、分周器Ｒ５を初期化し、また擬似同期信号検出器ＮＳＹＮＣ-Detをリセットする（ステップST４）。同期信号がゲートパルスＷＧ内で無い場合は、擬似同期信号検出器ＮＳＹＮＣ-Detのカウント値が設定した値かどうかを判定し（ステップST3）、カウント値が設定値に無ければ、カウント値を＋１し（ステップST5）、次の同期パターン検出処理へ移り、カウント値が設定値に合った場合は、先に述べたように分周器Ｒ４、分周器Ｒ５の強制初期化処理に移行する。
【００３７】
上記のように、図５で示した周期カウンタ同期化システムでは、疑似同期信号の排除は物理アドレス配置周期、即ち図４の例で示すＷＰＡの到来周期の時間相関特性を用いている。しかし、この周期と同じ周期で疑似同期信号PS-ＳＹＮＣが発生する場合は、誤動作を防御できない弱点がある。
【００３８】
図７には、その様な問題発生例を示してある。ＷＤＵが連結して構成されたＷＰＡが連続して送られてくる場合の物理アドレス再生において、正しい同期信号ＳＹＮＣ形成領域にディフェクトがあった場合を示している。図７（A）にはウォブル信号（WB-signal）を示し、図７（B）には同期信号PS-ＳＹＮＣ（この場合は擬似同期信号）を示し、図7（C）にゲートパルス（ＷＧ）を示している。
【００３９】
正しい同期信号ＳＹＮＣ形成領域にディフェクトがあると、次の疑似同期信号ＮＳＹＮＣで周期カウンタが同期する。一度同期化されると１周期後に窓ゲートパルスＷＧが発生し、そこに同様の擬似同期信号ＮＳＹＮＣが検出されてしまうと、この現象が無くなるまで誤動作を継続する。
【００４０】
図４に示したように記録媒体の記録トラックウォブル信号を変調して物理アドレスを埋め込むような場合、複雑な変調など利用が難しくなり、Addressデータ領域でもS/Nの劣化などで疑似同期信号ＮＳＹＮＣが発生しやすい。図４では、参考例として同期信号はＩＰＷ(6WB)・ＮＰＷ(4WB)・ＩＰＷ(6WB)の連結となっており、アドレスデータは（４WB）単位である事から同期信号パターンにはなり難いと見えるが、以下に示す図８〜図１０で説明するとおり、誤検出の可能性は高くなる。
【００４１】
図８は、位相検出器Ｒ２と同期信号検出検出器Ｒ３の部分を示し、図９はその各部の信号波形を示す。物理アドレスデータで変調されたウォブル信号は、乗算器MX1において、ウォブル位相同期回路R1で発生された出力クロックＷＢ−ＣＫと乗算される。乗算器MX1からは、図９に示したように乗算出力信号P-DET1が得られる。この信号P-DET1は、低域通過フィルタLPFに通し、出力信号P-DET2が生成される。この信号P-DET2は、2値にスライサSliでスライスされて2値化信号P-DETとして出力される。この２値化信号P-DETの“０”と“１”の長さがクロックＷＢ−ＣＫで検出され、ＷＰＡ同期信号ＰＢ−ＳＹＮＣやデータの“０”や“１”が復調される。
【００４２】
図１０は隣接トラックのクロストーク信号やディフェクなどでウォブル信号WB-signalのS/Nが悪化した場合の例を示したタイミングチャートである。このような状態では信号悪化が伴なっている場合は、ＮＰＷとＩＰＷの境界検出は信頼性が低下したものになり、２値化された2値化信号P-DETの反転部分は位置が不定な状態が発生する。このような状況で同期信号を検出すると、address領域で、ＩＰＷ(4WB)・ＮＰＷ(4WB)・ＩＰＷ(4WB)も２値化後はＩＰＷ(6WB)・ＮＰＷ(4WB)・ＩＰＷ(6WB)と判定される可能性は高くなる。
【００４３】
以上説明したように、簡単な変調方式や簡単な同期信号パターンが使われている方式における、データ抜き取りタイミングを決定する周期カウンタの同期化方式は、できる限りの誤検出防止と誤同期化防止が重要になる。
【００４４】
そこで、本発明ではさらに改善を図っている。即ち、参考例としてあげた図５の物理アドレス構造の性質を巧みに使って、信頼性の高い同期化方法、及び同期化装置を提供するのである。
【００４５】
図１１は、改善された第一の例による読み取りタイミング制御「Read timing control」装置の構成図である。また図１２は、その動作例を示すフローチャートである。
【００４６】
図５の構成と同一部分には、同一符号を付している。記録媒体から読み出されたウォブル信号WB-signalは、クロックを生成するウォブル位相同期回路R1に送られる。ウォブル位相同期回路R1からは、出力クロックＷＢ−ＣＫが生成される。このクロックは、実際にはウォブル信号を逓倍してデータ記録信号のチャネルビットクロック周波数にアップされデータ記録用に使われるが、再び分周してウォブル周波数のクロックとしてアドレスデータ読取りクロックとして利用するものである。今ここでは、ウォブル位相同期回路R1の出力クロックＷＢ−ＣＫは、ウォブル周波数のクロックとする。
【００４７】
ウオブル信号WB-signalは、さらに、ＮＰＷとＩＰＷを判別する位相検出器Ｒ２に送られる。ここでは、ウォブル位相同期回路R1の出力クロックが利用されて、ウオブル信号WB-signalがＮＰＷであるのかＩＰＷであるのかの判定が行われる。位相検出器Ｒ２からの位相判定結果の信号は、同期信号検出器Ｒ３と復調器Ｒ８に送られる。さらにこの構成では、位相判定結果の信号は、ウォブルデータユニット（ＷＤＵ）検出器Ｒ１０に供給される。このウォブルデータユニット（ＷＤＵ）検出器Ｒ１０は、ウオブルデータユニットＷＤＵのデータ構造の特徴から、その到来を検出する（ステップSA１）。ウォブルデータユニット同期信号ＰＢ−ＷＤＵは、カウンタＲ７２に入力されるとともに、アンド回路A1に入力される。
【００４８】
カウンタＲ７２は、1/84分周器Ｒ４のサブ周期カウンタとして利用されている。このカウンタＲ７２も周期的にゲート信号を出力している。1/84分周器Ｒ４は、ウォブルデータユニット同期信号ＰＢ−ＷＤＵが、ウォブルデータユニット（ＷＤＵ）窓ゲートパルスＷＧ1内であれば、が同じタイミングで得られたときはリセットされる。また、同期信号ＰＢ−ＷＤＵが、カウンタＲ７２が出力している窓ゲートパルスＷＧ1内であつてもリセットされる（ステップSA2,SA3,SA4）。しかし、ＰＢ−ＷＤＵがＷＧ1の範囲にない場合、及びＰＢ−ＷＤＵがカウンタＲ７２が出力する窓ゲートパルス内にない場合には、カウンタＲ７２のみが強制的にリセットされる。つまりカウンタＲ７２のみをイニシャライズして、次の検出結果を待つようにしている（ステップＳＡ５）。
【００４９】
この部分の動作は、図５に示した例のように動作して良い。即ち、
ＰＢ−ＷＤＵがＷＧ１の範囲にない場合には、カウンタＲ７２のカウントが進む。カウンタＲ７２の値が所定数になると、オア回路Ｏ１を介してアンド回路Ａ１を制御し、強制的にＰＢ−ＷＤＵのタイミングで1/84分周器Ｒ４をイニシャライズするのである。
【００５０】
窓ゲートパルスＷＧ1は、窓ゲート回路Ｒ６1が1/84分周器Ｒ４の出力を用いることで作成されている。また、1/84分周器Ｒ４の分周出力がさらに1/27分周器Ｒ５に入力され、周期カウンタ回路を構成している。
【００５１】
ここで同期信号検出器Ｒ３は、図４で説明した同期信号（ＳＹＮＣ）を検出し、ＷＰＡ同期信号ＰＢ−ＳＹＮＣを出力する（ステップSA1）。このＷＰＡ同期信号ＰＢ−ＳＹＮＣは、カウンタＲ７２とアンド回路A2に入力されている。カウンタＲ７３は、ＷＰＡ同期信号ＰＢ−ＳＹＮＣと、同期信号（ＳＹＮＣ）窓ゲートパルスＷＧ2と、が同じタイミングで得られたときはリセットされる（ステップSA6,SA7,SA8）。しかしＰＢ−ＳＹＮＣとＷＧ2とが同期していないときは、カウントが進む。カウンタＲ７３の値が所定数になると、オア回路O２を介してアンド回路A２を制御し、強制的にＰＢ−ＳＹＮＣのタイミングで1/17分周器Ｒ５をイニシャライズする（ステップSA9）。窓ゲートパルスＷＧ2は、窓ゲート回路Ｒ６２が1/17分周器Ｒ５の出力を用いることで作成されている。
【００５２】
この実施形態では、図４に示されたＷＤＵの構造が、最初の１６ウォブルのみ何らかの内容に変調しており、残りはＮＰＷ位相とし、また最初の４ウォブルをＩＰＷとして規定しているパターンを利用する。このパターンを利用して、ＷＤＵの分割ポイントをウォブルデータユニット検出器Ｒ１０で検出し、この検出結果により、1/84分周器Ｒ４をイニシャライズする。また、同期信号検出器Ｒ３は、1/17分周器Ｒ５のみをイニシャライズする。つまり、1/84分周器Ｒ４に対するＷＤＵ同期のイニシャライズと、1/17分周器Ｒ５に対するセグメント同期のイニシャライズが得られることになる。
【００５３】
このようにすると、同期信号検出器Ｒ３の検出結果ＰＢ−ＳＹＮＣにジッタが多く発生しても、イニシャライズタイミングをＷＤＵ同期信号（ＳＹＮＣ）がデータ設定部Ｒ９に読み込まれた中間ポイントあたりで対応するようにしておけば、イニシャライズ動作と、1/17分周器Ｒ５がカウントアップするタイミングは異なるので、ＰＢ−ＳＹＮＣ位置はクロックＷＢ−ＣＫに対して厳密性を必要としない。
【００５４】
一方で、ウォブルデータユニット検出器Ｒ１０からの検出結果は数多く発生するので、ＷＰＡ全体の信頼性を下げ事は少ない。更に1/84分周器Ｒ４のイニシャライズ方法として一般的な指定値を強制プリセットする方法ではなく、イニシャライズタイミングと1/84分周器Ｒ４のカウンタ内容から検出された位相差を修正する方式にすることで、検出結果のタイミングがジッタを伴なっていても、大きな誤設定は無くなり、システムの信頼性が向上する。
【００５５】
図１３はさらに別の実施の形態である。図１１の構成に、ユニティーフィールド（UF）検出器Ｒ１１が追加されている。図１４は、この実施の形態の動作例を示すフローチャートである。この実施の形態は、図４の例で示された複数のウォブルデータユニットＷＤＵで構成されるＷＰＡにおいて、最終側のＷＤＵはユニティーフィールド（Unity field）として無変調ＷＤＵで構成されていることに着目している。そして、ＷＰＡ同期信号ＰＢ−ＳＹＮＣは、ＷＤＵのウォブル数量を越えるＮＰＷを検出した後の一定期間に存在することに着目している。
【００５６】
一例として、ユニティーフィールド検出器Ｒ１１によってＮＰＷが１５０ウォブル以上検出されたら、一定期間のゲート信号UF-Gを発生させ、その期間のみ同期信号検出器SYN-Detを動作させるか、動作をさせても検出結果のＰＢ−ＳＹＮＣはゲート信号UF-Gが発生中のみ出力するようにする（ステップSB1,SB2）。たの動作は、先の実施の形態と同じであるから、図１４のフローチャートが、図１２のフローチャートに対応する部分には、図１２と同じ符号を付している。
【００５７】
このような構成によって、ゲート信号UF-Gが得られたときのみ、ＷＰＡ同期信号ＰＢ−ＳＹＮＣが許容されるので、疑似同期信号によるのイニシャライズが防止可能である。つまり図７で示した疑似シンクは発生することが出来ない為、大幅な信頼性向上が可能になる。他の部分は、図１１の回路と同じであるから説明は省略する。
【００５８】
図１５には、上記の回路の動作において、ウォブル信号（WB-Signal）,同期信号（ＳＹＮＣ）、ユニティーフィールド検出信号（UF-G）、ゲート信号（ＷＧ２）の関係を示している。このように一部で同期信号記録部分にディフェクトなどがあったとしても安定して同期状態を維持することができる。
【００５９】
分周器Ｒ４のイニシャライズ方式として、指定された値を強制プリセットするのではなく、イニシャライズタイミングと分周器Ｒ４であるカウンタ内容の位相差に応じて、クロックＷＢ−ＣＫの数を増減させ、カウンタの位相を修正する方法であってもよい。
【００６０】
図１６には、分周器Ｒ４内のクロック修正動作の例を示している。イニシャライズ信号(Initialize-G)が発生したら、分周器Ｒ４のカウンタ内容からＷＢ−ＣＫを修正して１クロックを増減させる。減じた場合と増した場合のクロック波形が示されている。
【００６１】
図１７は、さらに別の実施の形態を示し、図１８はその動作例を示すフローチャートを示している。ここでは、ユニティーフィールド検出器Ｒ１１を使って同期信号検出器Ｒ３を制限させる機能を使い、周期カウンタ回路を構成している1/84分周器Ｒ４と1/27分周器Ｒ５とを、ＷＰＡ同期信号ＰＢ−ＳＹＮＣ（アンド回路A1を通過した）のみでイニシャライズするのである。この構成でも疑似シンクでのイニシャライズは大幅に防止する事が可能である。
【００６２】
図１９は、ＷＤＵ分割点の検出信頼性を向上させる手法を説明するための図である。図１１、図１３で示したＷＤＵ検出器Ｒ１０は、図４に示すアドレスフィールド「Address field」のＷＤＵデータ構造の特性を利用している。即ち、先行のＮＰＷ(68wobble)が一定期間継続する事を検出して、検出ＷＤＵの最初のＩＰＷを検出する事で、ＷＤＵ分割点を検出する方法である。しかし、先頭ＩＰＷがディフェクト等で誤判定の可能性もあることから、先頭ＩＰＷに続いて配置されるデータの位相反転が発生する場合は、４wobbleの距離に位置付けられる性質を利用して、ＷＤＵ分割点の検出信頼性を向上させるものである。
【００６３】
図１９には、「Address field」の「ＷＤＵ」の構成として想定される波形の種類を、（Type-a）〜（Type-h）として図示してあるが、その時の位相反転ポイントパターンを検出する事で、ＷＤＵ分割点の信頼性を大幅に向上可能である。この検出方式を採用した場合は、分周器Ｒ４のイニシャライズは、検出結果が１６wobble後となるので、20wobble付近で処理する事になる。この為イニシャライズポイントはデータ領域でないため、イニシャライズによる変動が発生しないというメリットもある。
【００６４】
上記したようにこの発明の一側面では、Ｎサイクル（８４ウォブル）の搬送波を伝送ユニット（ＷＤＵ）として構成し、Ｍ（１７）組の伝送ユニットで伝送ブロック（ＷＰＡ）が構成されている。ここで伝送ブロックを構成する特定の伝送ユニットの一部は、伝送ブロック同期信号（第1番目のＷＤＵ）及び分散された制御データ（アドレスフィールドの各データ）で変調して構成されている。このような形態の伝送ブロックが連続して送信されてくる場合のデータ再生システムである。
【００６５】
データ変調部分を分離して読み出す為のタイミング信号を生成するためにＮ周期カウンタ（1/84分周器）とＭ周期カウンタ（1/17分周器）を連結した主周期カウンタ手段が構成されている。伝送ユニット検出手段（ＷＤＵ検出器Ｒ１０）は、伝送ユニット（ＷＤＵ）の後半の無変調領域と次の伝送ユニット（ＷＤＵ）の変調された先頭部分から、伝送ユニット分割点を検出し、ユニット検出信号（ＰＢ−ＷＤＵ）を得る。また伝送ブロック同期検出手段（同期信号検出器Ｒ３）は、ブロック同期信号で変調された前記伝送ブロックの先頭に位置する伝送ユニット（第1番目のＷＤＵ）から、ブロック同期信号を検出し、ブロック同期検出信号を得る。
【００６６】
そしてイニシャライズ手段（Ｏ１，Ａ１，Ｏ２、Ａ２）は、伝送ユニット検出手段（ＷＤＵ検出器Ｒ１０）で検出されたユニット検出信号（ＰＢ−ＷＤＵ）で前記Ｎ周期カウンタ（1/84分周器）を、前記伝送ブロック同期検出手段（同期信号検出器Ｒ３）で検出されたブロック同期検出信号で前記Ｍ周期カウンタ（1/17分周器）を、それぞれ設定した値にイニシャライズする。図示していないが、Ｎ周期カウンタとＭ周期カウンタで構成された主周期カウンタ手段によって、伝送ブロックを構成する伝送ユニットの一部が変調されて含まれているデータを読み出すためのタイミング信号を生成する手段が設けられている。
【００６７】
この発明によると、搬送波が主情報伝送／記録システムのシステムクロック生成などに利用される構成において、この搬送波を使って制御データ等を埋め込む場合、埋め込み変調領域は一部となるため、データは分散して埋め込まれる。このデータ読出しタイミングを得るために、ユニット周期とブロックの先頭ユニット間の周期とを別々のカウンタで得て、夫々のカウンタは別々に周期同期化を行うように構成している。これにより、装置が疑似同期化されるのが防止される。特に伝送ユニット分割点検出を、伝送ユニット無変調領域が変調領域に対して大きいことを利用し、事前の伝送ユニット無変調領域を検出後、次の伝送ユニットの変調領域を検出する事で、伝送ユニット分割点を検出する方式の導入により、安定な伝送ユニット分割点検出を可能にするものである。
【００６８】
またこの発明の側面では、伝送ユニット検出手段は、前記伝送ユニットの後半の前記無変調領域と、次の伝送ユニットの変調された先頭部分の変調領域とを検出することで前記伝送ユニット分割点を検出しユニット検出信号を得ている。またこの発明の他の側面では、
前記ブロック同期検出手段は、全てが無変調である伝送ユニット（ユニティーフィールド：図１３、図１７）を検出し、この伝送ユニットの次の伝送ユニットから前記ブロック同期信号を検出したときに、このブロック同期信号を有効として扱うようにしている。
【００６９】
更にまたこの発明の側面では、前記伝送ユニット検出手段で検出されたユニット検出信号で前記Ｎ周期カウンタを、前記伝送ブロック同期信号検出手段で検出された前記ブロック同期検出信号で前記Ｍ周期カウンタを、それぞれ設定した値にイニシャライズする場合、前記Ｎ周期及びＭ周期カウンタの出力で生成される各窓ゲート信号内で、前記ユニット検出信号、ブロック同期検出信号が検出された時のみ、イニシャライズする。
【００７０】
またこの発明の他の側面では、前記Ｎ周期カウンタに対応する第１のサブ周期カウンタ（Ｒ７２）、前記Ｍ周期カウンタに対応する第２のサブ周期カウンタ（Ｒ７３）を更に有し、前記ユニット検出信号、前記ブロック同期検出信号が、それぞれＮ周期及びＭ周期カウンタの出力で生成した各窓ゲート信号内に無かった場合でも、対応する前記サブ周期カウンタで生成している窓ゲート内にあれば、対応しているＮ周期及びＭ周期カウンタをイニシャライズし、何れの窓ゲート内にない場合は、対応するサブ周期カウンタのみをイニシャライズして、次の検出結果を待つようにした。周期カウンタの窓ゲート内に正しい同期化信号がない場合は、永久に同期化されないため、サブの周期カウンタを設置して、検出結果が周期間の距離で発生された場合、周期カウンタを同期化するようにして、単発的な検出信号では疑似である可能性が高いので、誤同期防止をしつつ正しい同期化は常時対応するようになる。
【００７１】
またこの発明の側面は、Ｎ周期カウンタに対応する第１のサブカウンタ、前記Ｍ周期カウンタに対応する第２のサブカウンタを更に有し、前記ユニット検出信号、前記ブロック同期検出信号が、それぞれＮ周期及びＭ周期カウンタの出力で生成した各窓ゲート信号内に無かった場合、対応するサブカウンタのカウント数を制御し、所定数になったら、強制的にＮ周期及びＭ周期カウンタをイニシャライズすることも範疇である。構成の特徴は、周期カウンタはＮ周期カウンタとＭ周期カウンタの連結である事と夫々イニシャライズが別々に行われるところにある。
【００７２】
またこの発明の側面では、前記イニシャライズ手段は、Ｎ周期及びＭ周期カウンタをイニシャライズする場合、各カウンタに所定値をプリセットすることである。
【００７３】
または、この発明の側面は、前記イニシャライズ手段は、Ｎ周期及びＭ周期カウンタをイニシャライズする場合、所定値にプリセットするのではなく、イニシャライズタイミングにおけるＮ周期カウンタの値が所定値より大きい場合は、カウンタ入力クロックを１クロック削減し、所定値より小さい場合は入力クロックを１クロック増して供給することで、イニシャライズタイミングでのＮ周期カウンタの値が所定定値に近づけるように制御することも範疇にある。Ｎ周期カウンタは、全体のブロックを構成する伝送ユニットの同期化であり、伝送ユニット検出タイミングは信号の品位によっては検出タイミングがズレる事もあり、またＮ周期が短い事から検出回数も多く、ズレ発生量も少ないことから、指定値に強制イニシャライズする必要はなく、誤ってイニシャライズされても制御データ読出しには影響しない可能性もあり、全体システムとして信頼性が向上される。
【００７４】
前記搬送波は記録媒体の記録トラックのウォブル信号であり、前記制御データは物理アドレス情報である。光ディスク等の記録媒体における記録トラックをウォブルさせて、データ記録信号のタイミングクロック生成用に使われる構成において、ウォブル変調にて物理アドレスを付加させる場合、物理アドレス読出しタイミングはアドレス記録配置周期のカウンタを構成して、タイミング制御される。この場合の周期カウンタ同期化性能が重要になるが、記録トラックへのデータ記録再生が基本であることから、物理アドレスをトラックウォブル変調で行う場合の変調度はそれ程深く出来ない。結果として高いＳ／Ｎ比は取れないため、同期化信号の検出タイミングは誤検出と検出タイミング変動が多きくなる。上記構成であればこのようなディフェクト状態も含めて信頼性高い同期化が可能になる。
【００７５】
またこの発明は、記録媒体からの情報の再生時のみならず、伝送システムにおいて、上記した伝送ユニット、及びこの伝送ユニットで構成さえる伝送ブロックの信号を受信するシステムにおいても採用できることは勿論のことである。
【００７６】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００７７】
【図１】光ディスクのアドレッシング方法として記録トラックをウォブル変調したときの各信号関係を示す説明図。
【図２】物理アドレス情報のレイアウトを示す図。
【図３】ウォブル変調で情報を埋め込むときの変調規則を示す説明図。
【図４】物理アドレスのデータ構造を説明するために示す図。
【図５】物理アドレスデータを読取るために用いられる同期化装置の例を示す図。
【図６】図５の同期化装置の動作例を説明するために示したフローチャート。
【図７】図５の装置が同期はずれを起こす例を説明するために示した説明図。
【図８】図５の装置の位相検出及び復調回路の構成例を示す図。
【図９】図８の位相検出及び復調回路の動作を説明するために示した信号波形図。
【図１０】図８の位相検出及び復調回路の他の動作例を説明するために示した信号波形図。
【図１１】物理アドレスデータを読取るために用いられる改善された同期化装置の例を示す図。
【図１２】図１１の同期化装置の動作例を説明するために示したフローチャート。
【図１３】物理アドレスデータを読取るために用いられる改善された同期化装置の他の例を示す図。
【図１４】図１３の同期化装置の動作例を説明するために示したフローチャート。
【図１５】図１３の装置の動作例を説明するために示した信号波形図。
【図１６】図１３の装置の動作の他の例を説明するために示した信号波形図。
【図１７】物理アドレスデータを読取るために用いられる改善された同期化装置の例を示す図。
【図１８】図１７の同期化装置の動作例を説明するために示したフローチャート。
【図１９】この発明の他の実施の形態を説明すために示したＷＤＵ検出パターンの例である。
【符号の説明】
【００７８】
Ｒ１…ウォブル位相同期回路、Ｒ２…位相検出器、Ｒ３…同期信号検出器、Ｒ４…分周器、Ｒ５…分周器、Ｒ６…窓ゲート回路、Ｒ７…、Ｒ８…復調器、Ｒ９…データ設定部、Ｒ１０…ウォブルデータユニット（ＷＤＵ）検出器、Ｒ１１…ユニティーフィールド（UF）検出器、Ｒ７２、Ｒ７３…カウンタ。
【図１】
2005166118.tif 000003
【図２】
2005166118.tif 000004
【図３】
2005166118.tif 000005
【図４】
2005166118.tif 000006
【図５】
2005166118.tif 000007
【図６】
2005166118.tif 000008
【図７】
2005166118.tif 000009
【図８】
2005166118.tif 000010
【図９】
2005166118.tif 000011
【図１０】
2005166118.tif 000012
【図１１】
2005166118.tif 000013
【図１２】
2005166118.tif 000014
【図１３】
2005166118.tif 000015
【図１４】
2005166118.tif 000016
【図１５】
2005166118.tif 000017
【図１６】
2005166118.tif 000018
【図１７】
2005166118.tif 000019
【図１８】
2005166118.tif 000020
【図１９】
2005166118.tif 000021